(57)【要約】【課題】  会議資料が表示されている共有画面領域を会議参加者のコンピュータのディスプレイのアスペクト比に寄らず、ディスプレイ上で効率よく、可能な限り大きく表示することを目的とする。【解決手段】  複数のコンピュータがネットワークを介して接続され、これらのコンピュータのうち１台のコンピュータのディスプレイに表示された内容と同じ内容をすべてのコンピュータに同期して表示する電子会議システムにおける画面表示制御方法において、少なくとも各会議参加者のコンピュータの内の２つのコンピュータのディスプレイのアスペクト比が違う場合に、各会議参加者のコンピュータの内の１台のコンピュータのディスプレイに表示された内容と同じ内容をすべてのコンピュータに同期して表示する共有画面のアスペクト比を同じにして表示することによって上記課題を解決する。【選択図】  図１
2006340203.tif 000002
【特許請求の範囲】
【請求項１】
複数のコンピュータがネットワークを介して接続され、これらのコンピュータのうち１台のコンピュータのディスプレイに表示された内容と同じ内容をすべてのコンピュータに同期して表示する電子会議システムにおける画面表示制御方法において、
少なくとも各会議参加者のコンピュータの内の２つのコンピュータのディスプレイのアスペクト比が違う場合に、
各会議参加者のコンピュータの内の１台のコンピュータのディスプレイに表示された内容と同じ内容をすべてのコンピュータに同期して表示する共有画面のアスペクト比を同じにして表示することを特徴とする電子会議システムにおける画面表示制御方法。
【請求項２】
複数のコンピュータがネットワークを介して接続され、これらのコンピュータのうち１台のコンピュータのディスプレイに表示された内容と同じ内容をすべてのコンピュータに同期して表示する電子会議システムにおいて、
各会議参加者のコンピュータは、
会議参加時に電子会議サーバーに自コンピュータのディスプレイのアスペクト比を通知する手段と、
各会議参加者のコンピュータが、受信した最適な共有画面のアスペクト比により、共有画面をディスプレイ上に表示する手段と、
を有し、
電子会議サーバーは、
電子会議サーバーに集まった各会議参加者のコンピュータのディスプレイのアスペクト比により、最適な共有画面のアスペクト比をテーブルから参照する手段と、
電子会議サーバーが、決定した最適な共有画面のアスペクト比を各会議参加者のコンピュータに通知する手段と、
を有することを特徴とする電子会議システム。
【請求項３】
会議参加者のコンピュータのうちの一台が電子会議サーバーとして機能する手段をさらに有することを特徴とする、請求項２に記載の電子会議システム。
【請求項４】
複数のコンピュータがネットワークを介して接続され、これらのコンピュータのうち１台のコンピュータのディスプレイに表示された内容と同じ内容をすべてのコンピュータに同期して表示する電子会議システムにおける画面表示制御方法であって、
各会議参加者のコンピュータが、会議参加時に電子会議サーバーに自コンピュータのディスプレイのアスペクト比を通知する工程と、
電子会議サーバーが、電子会議サーバーに集まった各会議参加者のコンピュータのディスプレイのアスペクト比により、最適な共有画面のアスペクト比をテーブルから参照する工程と、
電子会議サーバーが、決定した最適な共有画面のアスペクト比を各会議参加者のコンピュータに通知する工程と、
各会議参加者のコンピュータが、受信した最適な共有画面のアスペクト比により、共有画面をディスプレイ上に表示する工程と、
を含むことを特徴とする画面表示制御方法。
【請求項５】
会議参加者のコンピュータのうちの一台が、電子会議サーバーとして機能する工程をさらに含むことを特徴とする、請求項４に記載の画面表示制御方法。
【請求項６】
複数のコンピュータがネットワークを介して接続され、これらのコンピュータのうち１台のコンピュータのディスプレイに表示された内容と同じ内容をすべてのコンピュータに同期して表示する電子会議システムにおいて、
各会議参加者のコンピュータを、
会議参加時に電子会議サーバーに自コンピュータのディスプレイのアスペクト比を通知する手段と、
電子会議サーバーより受信した最適な共有画面のアスペクト比により、共有画面をディスプレイ上に表示する手段と、
して動作させ、
電子会議サーバーを、
電子会議サーバーに集まった各会議参加者のコンピュータのディスプレイのアスペクト比により、最適な共有画面のアスペクト比をテーブルから参照する手段と、
決定した最適な共有画面のアスペクト比を各会議参加者のコンピュータに通知する手段と、
して動作させることを特徴とする画面表示制御プログラム。
【請求項７】
会議参加者のコンピュータのうちの一台を、電子会議サーバーとして機能させる手段としてさらに動作させることを特徴とする、請求項６に記載の画面表示制御プログラム。
【請求項８】
請求項６又は７に記載の画面表示制御プログラムを記憶したコンピュータ読み取り可能な記憶媒体。
【発明の詳細な説明】
【技術分野】
【０００１】
本発明は複数のコンピュータがネットワークを介して接続され、これらのコンピュータのうち１台のコンピュータのディスプレイに表示された内容と同じ内容をすべてのコンピュータに同期して表示する電電子会議システムにおける画面表示制御方法、電子会議システム及び画面表示制御プログラムに関する。
【背景技術】
【０００２】
パワーポイント（登録商標）等で作成された電子的プレゼン資料を利用し、全会議参加者に１台ずつのコンピュータを設置し、発表者がコンピュータの画面に表示された資料を基に発表するときに、他の参加者は自分のコンピュータの画面に表示された発表者と同一の資料を見ながらその発表に対して質疑応答を行なう電子会議システムが実用化されている。
【０００３】
電子会議システムには、ネットワークを介して、相互に同一のソフトウェアを共有する形式で画面を同一にするデスクトップ会議システムや、Ｗｅｂサーバーに資料を配置し、会議参加者がＷｅｂブラウザを使用して同一の資料を共有するＷｅｂ会議システムなどがある。
【特許文献１】特開２０００−０９２２１７号公報
【発明の開示】
【発明が解決しようとする課題】
【０００４】
これらのシステムでは会議参加者のコンピュータのディスプレイのアスペクト比を考慮しておらず、発表者と同一の画面を見ているつもりでもアスペクト比の違いから縦長に表示されたり、横長に表示されたりするという問題点があった。
【０００５】
この問題を解決するために、電子会議システムの共有画面のアスペクト比を固定にすることも考えられるが、固定化されたアスペクト比が会議参加者のコンピュータのディスプレイのアスペクト比において表示しづらい場合や、共有画面の表示領域が小さくなってしまうという欠点があった。
【０００６】
本発明は上記の点に鑑みなされたもので、会議資料が表示されている共有画面領域を会議参加者のコンピュータのディスプレイのアスペクト比に寄らず、ディスプレイ上で効率よく、可能な限り大きく表示することを目的とする。
【課題を解決するための手段】
【０００７】
そこで、上記問題を解決するため、本発明は、複数のコンピュータがネットワークを介して接続され、これらのコンピュータのうち１台のコンピュータのディスプレイに表示された内容と同じ内容をすべてのコンピュータに同期して表示する電子会議システムにおける画面表示制御方法において、少なくとも各会議参加者のコンピュータの内の２つのコンピュータのディスプレイのアスペクト比が違う場合に、各会議参加者のコンピュータの内の１台のコンピュータのディスプレイに表示された内容と同じ内容をすべてのコンピュータに同期して表示する共有画面のアスペクト比を同じにして表示することを特徴とする電子会議システムにおける画面表示制御方法等、を提供する。
【０００８】
本発明によれば、複数のコンピュータがネットワークを介して接続され、これらのコンピュータのうち１台のコンピュータのディスプレイに表示された内容と同じ内容をすべてのコンピュータに同期して表示する電子会議システムにおける画面表示制御方法において、少なくとも各会議参加者のコンピュータの内の２つのコンピュータのディスプレイのアスペクト比が違う場合に、各会議参加者のコンピュータの内の１台のコンピュータのディスプレイに表示された内容と同じ内容をすべてのコンピュータに同期して表示する共有画面のアスペクト比を同じにして表示することにより、会議資料が表示されている共有画面領域を会議参加者のコンピュータのディスプレイのアスペクト比に寄らず、ディスプレイ上で効率よく、可能な限り大きく表示することができる。
【発明の効果】
【０００９】
本発明によれば、会議資料が表示されている共有画面領域を会議参加者のコンピュータのディスプレイのアスペクト比に寄らず、ディスプレイ上で効率よく、可能な限り大きく表示することができる。
【発明を実施するための最良の形態】
【００１０】
以下、図面を参照しながら発明を実施するための最良の形態について詳細に説明する。
【実施例１】
【００１１】
図１は本発明の各実施形態に適用できる電子会議システムの構成を示す概念図である。
【００１２】
図１において、１はＬＡＮ等のネットワークである。２は本発明を実現する電子会議サーバー（サーバーコンピュータ）である。３〜６は会議参加者が電子会議システムサーバーに接続して電子会議に参加する電子会議システムクライアント（パーソナルコンピュータ）である。電子会議システムでは、発表者（この場合電子会議クライアント３）のページ情報が電子会議システムサーバー２を通して他の電子会議システムクライアント４〜６に送信される。電子会議システムクライアント４〜６は受信した発表者のページ情報をディスプレイに表示する。
【００１３】
尚、図１では、詳細には示していないが、電子会議システムサーバー２と電子会議クライアント３〜６はそれぞれ、汎用コンピュータに搭載される標準的な構成要素（例えば、ＣＰＵ、ＲＡＭ、ＲＯＭ、ハードディスク、外部記憶装置、ネットワークインタフェース、ディスプレイ、キーボード、マウス等）を有している。また、各コンピュータには、例えば、固有のＩＰアドレスが割り当てられているとする。
【００１４】
図２は本発明の実施の形態に係る電子会議システムにおける、電子会議クライアントが会議に参加する際の処理を示すシーケンス図である。
【００１５】
電子会議システムクライアントは、会議に参加する際にまず電子会議サーバーに対して会議に参加するための認証を受ける（ステップＳ１０）。電子会議サーバーにおける認証で会議参加が許可される（ステップＳ１１）と、電子会議システムクライアント及び電子会議サーバーは、会議参加に必要なネゴシエーションを行なう（ステップＳ１２，１３）。電子会議クライアントは、自コンピュータのディスプレイのアスペクト比を電子会議サーバーに通知する（ステップＳ１５）。
【００１６】
電子会議サーバーは、すべての電子会議クライアントのアスペクト比を、テーブルを参照して比較し、最適な共有画面のアスペクト比を決定し、各電子会議クライアントに通知する（ステップＳ１８）。
【００１７】
尚、会議参加の認証方法は、ユーザＩＤ＋パスワードであっても良いし、バイオメトリクス認証であってもよい。本実施例では認証方法を問わない。
【００１８】
図３は参加者のコンピュータのディスプレイのアスペクト比が１６：９の場合の共有画面のアスペクト比の違いによる共有画面の表示領域の違いを表す図である。１０１は共有画面のアスペクト比が１：１の場合の共有画面表示領域を示す図であり、アプリケーションメニュー領域が大きめになっている。１０２は共有画面のアスペクト比が４：３の場合の共有画面表示領域を示す図である。１０３は共有画面のアスペクト比が３：２の場合の共有画面表示領域を示す図である。１０４は共有画面のアスペクト比が２：１の場合の共有画面表示領域を示す図である。
【００１９】
図４は参加者のコンピュータのディスプレイのアスペクト比が１６：１０の場合の共有画面のアスペクト比の違いによる共有画面の表示領域の違いを表す図である。１２１は共有画面のアスペクト比が１：１の場合の共有画面表示領域を示す図である。１２２は共有画面のアスペクト比が４：３の場合の共有画面表示領域を示す図である。１２３は共有画面のアスペクト比が３：２の場合の共有画面表示領域を示す図であり、アプリケーションメニュー領域が小さめになっている。１２４は共有画面のアスペクト比が２：１の場合の共有画面表示領域を示す図である。
【００２０】
図５は参加者のコンピュータのディスプレイのアスペクト比が横４：３の場合の共有画面のアスペクト比の違いによる共有画面の表示領域の違いを表す図である。１４１は共有画面のアスペクト比が１：１の場合の共有画面表示領域を示す図である。１４２は共有画面のアスペクト比が４：３の場合の共有画面表示領域を示す図であり、アプリケーションメニューを表示する領域がない。１４３は共有画面のアスペクト比が３：２の場合の共有画面表示領域を示す図である。１４４は共有画面のアスペクト比が２：１の場合の共有画面表示領域を示す図である。
【００２１】
図６は参加者のコンピュータのディスプレイのアスペクト比が横４：３の場合で共有画面のアスペクト比が４：３のときのアプリケーションメニュー領域を用意した共有画面の表示領域を表す図である。アプリケーションメニュー領域を確保すると共有画面領域が狭くなるので、本発明の目的から参加者のコンピュータのディスプレイのアスペクト比が横４：３の場合は、例えば電子会議サーバーは、共有画面の４：３のアスペクト比は選択しない。
【００２２】
図７は参加者のコンピュータのディスプレイのアスペクト比が５：４の場合の共有画面のアスペクト比の違いによる共有画面の表示領域の違いを表す図である。１６１は共有画面のアスペクト比が１：１の場合の共有画面表示領域を示す図である。１６２は共有画面のアスペクト比が４：３の場合の共有画面表示領域を示す図であり、アプリケーションメニュー領域が小さめになっている。１６３は共有画面のアスペクト比が３：２の場合の共有画面表示領域を示す図である。１６４は共有画面のアスペクト比が２：１の場合の共有画面表示領域を示す図である。
【００２３】
図８は参加者のコンピュータのディスプレイのアスペクト比が５：４の場合で共有画面のアスペクト比が４：３のときのアプリケーションメニュー領域を用意した共有画面の表示領域を表す図である。アプリケーションメニュー領域を確保すると共有画面領域が狭くなるので、本発明の目的から参加者のコンピュータのディスプレイのアスペクト比が５：４の場合は、例えば電子会議サーバーは、共有画面の４：３のアスペクト比は選択しない。
【００２４】
図９は参加者のコンピュータのディスプレイのアスペクト比が縦４：３の場合の共有画面のアスペクト比の違いによる共有画面の表示領域の違いを表す図である。１８１は共有画面のアスペクト比が１：１の場合の共有画面表示領域を示す図である。１８２は共有画面のアスペクト比が４：３の場合の共有画面表示領域を示す図である。１８３は共有画面のアスペクト比が３：２の場合の共有画面表示領域を示す図である。１８４は共有画面のアスペクト比が２：１の場合の共有画面表示領域を示す図である。
【００２５】
図１０はすべての参加者のコンピュータのディスプレイのアスペクト比から最適な共有画面のアスペクト比を決定するためのテーブルである。
【００２６】
電子会議サーバーは、会議に参加する電子会議クライアントのディスプレイのアスペクト比をテーブルとマッチングをとり、共有画面のアスペクト比を決定する。横長のアスペクト比の電子会議クライアントがいる場合は、３：２または４：３のアスペクト比が選ばれ、横長のアスペクト比の電子会議クライアントがいない場合は、３：２または１：１のアスペクト比が選ばれる。
【００２７】
図１１は共有画面のアスペクト比が３：２と決定した場合の各ディスプレイ上の共有画面の表示領域を表す図である。１２３ではアプリケーションメニューが小さめとなり、１８３ではアプリケーションメニューが大きめとなっているが、どのアスペクト比においても共用画面領域を大きく取ることが出来ている。
【００２８】
図１２は共有画面のアスペクト比が４：３と決定した場合の各ディスプレイ上の共有画面の表示領域を表す図である。１０２ではアプリケーションメニューが大きめとなっているが、どのアスペクト比においても共用画面領域を大きく取ることが出来ている。
【００２９】
図１３は横長のアスペクト比の電子会議クライアントがいないときで共有画面のアスペクト比が１：１と決定した場合の各ディスプレイ上の共有画面の表示領域を表す図である。どのアスペクト比においても共用画面領域を大きく取ることが出来ている。
【００３０】
このように、電子会議クライアントのディスプレイのアスペクト比の組み合わせに応じて最適な共有画面のアスペクト比を決定し、各電子会議クライアントのディスプレイ上に効率よく共有画面を配置することができる。
【実施例２】
【００３１】
第２の実施形態では、第一の実施形態と同じ構成であって、電子会議クライアントのディスプレイが横長のアスペクト比の場合に、アプリケーションメニューを左右に振り分けて表示する場合について説明する。
【００３２】
各アスペクト比のディスプレイ上に教示される共有画面については第１の実施形態と同様なので説明を省略する。
【００３３】
図１４はすべての参加者のコンピュータのディスプレイのアスペクト比から最適な共有画面のアスペクト比を決定するためのテーブルである。
【００３４】
電子会議サーバーは、会議に参加する電子会議クライアントのディスプレイのアスペクト比をテーブルとマッチングをとり、共有画面のアスペクト比を決定する。横長のアスペクト比の電子会議クライアントがいる場合は、３：２、４：３または２：１のアスペクト比が選ばれ、横長のアスペクト比の電子会議クライアントがいない場合は、４：３、３：２、２：１または１：１のアスペクト比が選ばれる。
【００３５】
図１５は参加者のコンピュータのディスプレイのアスペクト比が１６：９の場合の共有画面のアスペクト比の違いによる共有画面の表示領域の違いを表す図である。１１１は共有画面のアスペクト比が１：１の場合の共有画面表示領域を示す図であり、アプリケーションメニュー領域がすこし大きめになっている。１１２は共有画面のアスペクト比が４：３の場合の共有画面表示領域を示す図である。１１３は共有画面のアスペクト比が３：２の場合の共有画面表示領域を示す図である。１１４は共有画面のアスペクト比が２：１の場合の共有画面表示領域を示す図である。
【００３６】
図１６は参加者のコンピュータのディスプレイのアスペクト比が１６：１０の場合の共有画面のアスペクト比の違いによる共有画面の表示領域の違いを表す図である。１３１は共有画面のアスペクト比が１：１の場合の共有画面表示領域を示す図である。１３２は共有画面のアスペクト比が４：３の場合の共有画面表示領域を示す図である。１３３は共有画面のアスペクト比が３：２の場合の共有画面表示領域を示す図であり、アプリケーションメニュー領域が小さめになっている。１３４は共有画面のアスペクト比が２：１の場合の共有画面表示領域を示す図である。
【００３７】
図１７は共有画面のアスペクト比が３：２と決定した場合の各ディスプレイ上の共有画面の表示領域を表す図である。どのアスペクト比においても共用画面領域を大きく取ることが出来ている。
【００３８】
図１８は共有画面のアスペクト比が４：３と決定した場合の各ディスプレイ上の共有画面の表示領域を表す図である。１８２ではアプリケーションメニューがすこし大きめとなっているが、どのアスペクト比においても共用画面領域を大きく取ることが出来ている。
【００３９】
図１９は共有画面のアスペクト比が２：１と決定した場合の各ディスプレイ上の共有画面の表示領域を表す図である。横長のアスペクト比ではアプリケーションメニュー領域が左右振り分けではなく画面下となっている。どのアスペクト比においても共用画面領域を大きく取ることが出来ている。
【００４０】
図２０は横長のアスペクト比の電子会議クライアントがいないときで共有画面のアスペクト比が１：１と決定した場合の各ディスプレイ上の共有画面の表示領域を表す図である。１１１ではアプリケーションメニューがすこし大きめとなっているが、どのアスペクト比においても共用画面領域を大きく取ることが出来ている。
【００４１】
このように、電子会議クライアントのディスプレイが横長のアスペクト比のときにアプリケーションメニュー領域を左右振り分けとする場合であっても、電子会議クライアントのディスプレイのアスペクト比の組み合わせに応じて最適な共有画面のアスペクト比を決定し、各電子会議クライアントのディスプレイ上に効率よく共有画面を配置することができる。
【００４２】
上記第１及び第２の実施形態では、電子会議クライアントのディスプレイのアスペクト比を１６：９、１６：１０，５：４，横４：３、縦４：３としたが他のアスペクト比であっても構わない。また、共有画面領域のアスペクト比を４：３、３：２、２：１、１：１としたが他のアスペクト比であっても構わない。
【００４３】
尚、本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００４４】
この場合、記憶媒体から読み出されたプログラムコード自体が前述した実施の形態の機能を実現することになり、そのプログラムコード及び該プログラムコードを記憶した記憶媒体は本発明を構成することになる。
【００４５】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−Ｒ、ＤＶＤ＋Ｒ、ＤＶＤ−ＲＷ、ＤＶＤ＋ＲＷ、ＨＤ−ＤＶＤ、Ｂｌｕ−ｒａｙ  Ｄｉｓｃ、磁気テープ、不揮発性のメモリカード、ＲＯＭ等を用いることができる。または、プログラムコードを、ネットワークを介してダウンロードしてもよい。
【００４６】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００４７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００４８】
上述したように本発明によれば、会議資料が表示されている共有画面領域を会議参加者のコンピュータのディスプレイのアスペクト比に寄らず、ディスプレイ上で効率よく、可能な限り大きく表示することができる。
【００４９】
また、本発明によれば、各参加者のコンピュータのディスプレイのアスペクト比が会議中固定化されることで、参加者によって縦長に表示されたり、横長に表示されたりするといった不具合が無くなり、例えば、自由描画によるアノテーションをオブジェクトとして管理することなどにより各ディスプレイ上に同じように表示されるようになる。このことにより、各参加者は同じものを見ながら会議を行なうことが出来る。
【００５０】
また、本発明によれば、会議開始時に各会議参加者のコンピュータのディスプレイのアスペクト比を収集し、テーブルを参照することで、参加するコンピュータのすべてのアスペクト比のディスプレイ上で効率よく、可能な限り大きく表示することができる共通のアスペクト比を決定することができる。
【００５１】
また、本発明によれば、アスペクト比参照テーブルを用意することで毎回の会議開始時に電子会議クライアントのディスプレイのアスペクト比から最適値を計算する必要が無くなり、ＣＰＵタイム、メモリといったリソースを有効に活用できるようになる。
【００５２】
以上、本発明の好ましい実施例について詳述したが、本発明は係る特定の実施形態に限定されるものではなく、特許請求の範囲に記載された本発明の要旨の範囲内において、種々の変形・変更が可能である。
【図面の簡単な説明】
【００５３】
【図１】図１は、本発明の実施の形態に係る電子会議システムの構成を模式的に示す図である。
【図２】図２は、本発明の実施の形態に係る電子会議システムにおける、電子会議クライアントが会議に参加する際の処理を示すシーケンス図である。
【図３】図３は、参加者のコンピュータのディスプレイのアスペクト比が１６：９の場合の共有画面のアスペクト比の違いによる共有画面の表示領域の違いを表す図である。
【図４】図４は、参加者のコンピュータのディスプレイのアスペクト比が１６：１０の場合の共有画面のアスペクト比の違いによる共有画面の表示領域の違いを表す図である。
【図５】図５は、参加者のコンピュータのディスプレイのアスペクト比が横４：３の場合の共有画面のアスペクト比の違いによる共有画面の表示領域の違いを表す図である。
【図６】図６は、参加者のコンピュータのディスプレイのアスペクト比が横４：３の場合で共有画面のアスペクト比が４：３のときのアプリケーションメニュー領域を用意した共有画面の表示領域を表す図である。
【図７】図７は、参加者のコンピュータのディスプレイのアスペクト比が５：４の場合の共有画面のアスペクト比の違いによる共有画面の表示領域の違いを表す図である。
【図８】図８は、参加者のコンピュータのディスプレイのアスペクト比が５：４の場合で共有画面のアスペクト比が４：３のときのアプリケーションメニュー領域を用意した共有画面の表示領域を表す図である。
【図９】図９は、参加者のコンピュータのディスプレイのアスペクト比が縦４：３の場合の共有画面のアスペクト比の違いによる共有画面の表示領域の違いを表す図である。
【図１０】図１０は、すべての参加者のコンピュータのディスプレイのアスペクト比から最適な共有画面のアスペクト比を決定するためのテーブルを示す図である。
【図１１】図１１は、共有画面のアスペクト比が３：２と決定した場合の各ディスプレイ上の共有画面の表示領域を表す図である。
【図１２】図１２は、共有画面のアスペクト比が４：３と決定した場合の各ディスプレイ上の共有画面の表示領域を表す図である。
【図１３】図１３は、共有画面のアスペクト比が１：１と決定した場合の各ディスプレイ上の共有画面の表示領域を表す図である。
【図１４】図１４は、横長のアスペクト比のディスプレイでアプリケーションメニューを左右に振り分けた場合の、すべての参加者のコンピュータのディスプレイのアスペクト比から最適な共有画面のアスペクト比を決定するためのテーブルを示す図である。
【図１５】図１５は、参加者のコンピュータのディスプレイのアスペクト比が１６：９でアプリケーションメニューを左右に振り分けた場合の共有画面のアスペクト比の違いによる共有画面の表示領域の違いを表す図である。
【図１６】図１６は、参加者のコンピュータのディスプレイのアスペクト比が１６：１０でアプリケーションメニューを左右に振り分けた場合の共有画面のアスペクト比の違いによる共有画面の表示領域の違いを表す図である。
【図１７】図１７は、横長のアスペクト比のディスプレイでアプリケーションメニューを左右に振り分けた場合の、共有画面のアスペクト比が３：２と決定した場合の各ディスプレイ上の共有画面の表示領域を表す図である。
【図１８】図１８は、横長のアスペクト比のディスプレイでアプリケーションメニューを左右に振り分けた場合の、共有画面のアスペクト比が４：３と決定した場合の各ディスプレイ上の共有画面の表示領域を表す図である。
【図１９】図１９は、横長のアスペクト比のディスプレイでアプリケーションメニューを左右に振り分けた場合の、共有画面のアスペクト比が２：１と決定した場合の各ディスプレイ上の共有画面の表示領域を表す図である。
【図２０】図２０は、横長のアスペクト比のディスプレイでアプリケーションメニューを左右に振り分けた場合の、共有画面のアスペクト比が１：１と決定した場合の各ディスプレイ上の共有画面の表示領域を表す図である。
【符号の説明】
【００５４】
１  会議システムのサーバーと各コンピュータを接続するＬＡＮ等のネットワーク
２  電子会議システムサーバー
３〜６  電子会議システムクライアント
１０１〜１０４  ディスプレイのアスペクト比が１６：９のときの共有画面のアスペクト比による共有画面表示領域の違いを示す図
１１１〜１１４  ディスプレイのアスペクト比が１６：９のときの共有画面のアスペクト比による共有画面表示領域の違いを示す図
１２１〜１２４  ディスプレイのアスペクト比が１６：１０のときの共有画面のアスペクト比による共有画面表示領域の違いを示す図
１３１〜１３４  ディスプレイのアスペクト比が１６：１０のときの共有画面のアスペクト比による共有画面表示領域の違いを示す図
１４１〜１４４  ディスプレイのアスペクト比が４：３（横）のときの共有画面のアスペクト比による共有画面表示領域の違いを示す図
１４５  ディスプレイのアスペクト比が４：３（横）のときの共有画面のアスペクト比が４：３の場合のアプリケーションメニュー領域を表示させた場合の例
１６１〜１６４  ディスプレイのアスペクト比が５：４のときの共有画面のアスペクト比による共有画面表示領域の違いを示す図
１６５  ディスプレイのアスペクト比が５：４のときの共有画面のアスペクト比が４：３の場合のアプリケーションメニュー領域を表示させた場合の例
１８１〜１８４  ディスプレイのアスペクト比が４：３（縦）のときの共有画面のアスペクト比による共有画面表示領域の違いを示す図
【図１】
2006340203.tif 000003
【図２】
2006340203.tif 000004
【図３】
2006340203.tif 000005
【図４】
2006340203.tif 000006
【図５】
2006340203.tif 000007
【図６】
2006340203.tif 000008
【図７】
2006340203.tif 000009
【図８】
2006340203.tif 000010
【図９】
2006340203.tif 000011
【図１０】
2006340203.tif 000012
【図１１】
2006340203.tif 000013
【図１２】
2006340203.tif 000014
【図１３】
2006340203.tif 000015
【図１４】
2006340203.tif 000016
【図１５】
2006340203.tif 000017
【図１６】
2006340203.tif 000018
【図１７】
2006340203.tif 000019
【図１８】
2006340203.tif 000020
【図１９】
2006340203.tif 000021
【図２０】
2006340203.tif 000022